(57)【要約】【課題】カラオケ歌唱を妨げることなく、携帯発光装置を使用可能とするカラオケシステムを提供する。【解決手段】携帯発光装置が、装置識別情報を変調信号として重畳した光を発する発光部、及び発光部が発する光の輝度を調整する調整部を有し、カラオケ装置が、撮影手段により、聴衆により使用されている複数の携帯発光装置を撮影して得られた装置映像から、携帯発光装置の動きに関連する動作関連情報を抽出する抽出部、所定の条件を満たす動作関連情報を示した携帯発光装置が発する光に重畳された変調信号を復調し、当該携帯発光装置の装置識別情報を特定する特定部、特定した装置識別情報に対応する携帯発光装置の輝度を制御する輝度制御部を有するカラオケシステム。【選択図】図４
2020122856.tif 000002
【特許請求の範囲】
【請求項１】
カラオケ装置、及び当該カラオケ装置が設置されている場所に在席する利用者が使用する携帯発光装置を含むカラオケシステムであって、
前記携帯発光装置は、
携帯発光装置を識別するための装置識別情報を変調信号として重畳した光を発する発光部と、
前記発光部が発する光の輝度を調整する調整部と、
を有し、
前記カラオケ装置は、
撮影手段により、カラオケ歌唱を行う利用者以外の利用者である聴衆により使用されている複数の携帯発光装置を撮影して得られた装置映像から、携帯発光装置の動きに関連する動作関連情報を抽出する抽出部と、
所定の条件を満たす前記動作関連情報を示した前記携帯発光装置が発する光に重畳された変調信号を復調し、当該携帯発光装置の装置識別情報を特定する特定部と、
特定した前記装置識別情報に対応する前記携帯発光装置の輝度を制御する輝度制御部と、
を有するカラオケシステム。
【請求項２】
前記動作関連情報は、前記携帯発光装置を繰り返し振る際の一往復の移動に要する往復時間であり、
前記特定部は、カラオケ演奏の所定の演奏区間において抽出した前記往復時間と、当該所定の演奏区間の演奏時間とを比較することで一致度を算出し、当該一致度が所定値未満となる携帯発光装置がある場合に、当該携帯発光装置が発する光に重畳された変調信号を復調し、装置識別情報を特定することを特徴とする請求項１記載のカラオケシステム。
【請求項３】
前記動作関連情報は、カラオケ演奏の所定の演奏区間において前記携帯発光装置が動いた軌跡であり、
前記特定部は、少なくとも３つの携帯発光装置について抽出した前記軌跡を２つずつ比較することで一致度を複数算出し、算出した全ての一致度に基づいて他の携帯発光装置の軌跡との差が大きい軌跡を描いた携帯発光装置が発する光に重畳された変調信号を復調し、装置識別情報を特定することを特徴とする請求項１に記載のカラオケシステム。
【請求項４】
前記輝度制御部は、特定した前記装置識別情報に対応する前記携帯発光装置の輝度が、他の携帯発光装置の輝度よりも低くなるよう制御することを特徴とする請求項１〜３のいずれか一つに記載のカラオケシステム。
【発明の詳細な説明】
【技術分野】
【０００１】
本発明はカラオケシステムに関する。
【背景技術】
【０００２】
アーティストのライブコンサートや各種イベント等においては、観客参加型の演出方法が採用されることがある。たとえば、楽曲の演奏や演出に合わせて観客が携帯発光装置（たとえば、ペンライトや腕時計型の発光体）を動かすことで演出効果を高める方法がある。
【０００３】
特許文献１には、複数色を発光可能なペンライトを利用した演出用発光装置が開示されている。特許文献１に開示された演出用発光装置は、複数の携帯発光装置（ペンライト）の発光色を、無線接続された一台の発光状態制御装置によって制御することで、観客席において任意の光の文字、画像、模様を表現することができる。
【先行技術文献】
【特許文献】
【０００４】
【特許文献１】特開２００３−０３６９８１号公報
【発明の概要】
【発明が解決しようとする課題】
【０００５】
ここで、カラオケルームにおいてカラオケ歌唱を行う際、複数の利用者それぞれが携帯発光装置を使用することがある。この場合、各利用者は、それぞれが自由に携帯発光装置を動かすため、全体として動きがバラバラとなり、統一感に欠ける。その結果、歌唱者にとって、携帯発光装置の動きが目障りとなったり、カラオケ歌唱のリズムに悪影響を及ぼす可能性もある。
【０００６】
本発明の目的は、カラオケ歌唱を妨げることなく、携帯発光装置を使用可能とするカラオケステムを提供することにある。
【課題を解決するための手段】
【０００７】
上記目的を達成するための一の発明は、カラオケ装置、及び当該カラオケ装置が設置されている場所に在席する利用者が使用する携帯発光装置を含むカラオケシステムであって、前記携帯発光装置は、携帯発光装置を識別するための装置識別情報を変調信号として重畳した光を発する発光部と、前記発光部が発する光の輝度を調整する調整部と、を有し、前記カラオケ装置は、撮影手段により、カラオケ歌唱を行う利用者以外の利用者である聴衆により使用されている複数の携帯発光装置を撮影して得られた装置映像から、携帯発光装置の動きに関連する動作関連情報を抽出する抽出部と、所定の条件を満たす前記動作関連情報を示した前記携帯発光装置が発する光に重畳された変調信号を復調し、当該携帯発光装置の装置識別情報を特定する特定部と、特定した前記装置識別情報に対応する前記携帯発光装置の輝度を制御する輝度制御部と、を有するカラオケシステムである。
本発明の他の特徴については、後述する明細書及び図面の記載により明らかにする。
【発明の効果】
【０００８】
本発明によれば、カラオケ歌唱を妨げることなく、携帯発光装置を使用できる。
【図面の簡単な説明】
【０００９】
【図１】実施形態に係るカラオケシステムの概略を示す図である。
【図２】実施形態に係る携帯発光装置の構成を示す図である。
【図３】実施形態に係るカラオケ装置の構成を示す図である。
【図４】実施形態に係るカラオケシステムの処理を示すフローチャートである。
【発明を実施するための形態】
【００１０】
＜実施形態＞
図１〜図４を参照して、実施形態に係るカラオケシステムについて説明する。
【００１１】
＝＝カラオケシステム＝＝
図１に示すように、本実施形態に係るカラオケシステム１は、カラオケ装置Ｋ及びカラオケ装置Ｋの利用者が使用する携帯発光装置を備える。
【００１２】
カラオケ装置Ｋは、楽曲のカラオケ演奏、及び利用者がカラオケ歌唱を行うための装置である。カラオケ装置Ｋは、利用者の歌唱音声を集音するマイク、カラオケ演奏音を放音するスピーカ、歌詞テロップ等を表示させるモニタ、カラオケ装置Ｋに対する各種操作入力を行うリモコン装置（いずれも図示なし）等を備える。カラオケ装置Ｋは、カラオケ装置Ｋにおいてカラオケ演奏を行うための複数の楽曲（楽曲データ）を記憶する。楽曲データは、個々の楽曲を特定するための楽曲ＩＤが付与されている。楽曲データは、伴奏データ、リファレンスデータ等を含む。伴奏データは所定の演奏区間が設定されている。演奏区間は、前奏、１番のＡメロ、２番のサビ等、カラオケ演奏が行われる区間である。各演奏区間のカラオケ演奏は、所定の演奏時間で実行される。
【００１３】
また、本実施形態に係るカラオケ装置Ｋは、撮影手段Ｃを有する。撮影手段Ｃは、カラオケ装置Ｋが設置されている場所（たとえばカラオケ店舗内のカラオケルーム）に在席する利用者が使用する携帯発光装置を撮影し、映像を取得する。
【００１４】
図１に示した利用者Ｕ１〜利用者Ｕ４は、カラオケ装置Ｋを一緒に利用する利用者である。各利用者は、それぞれ携帯発光装置（携帯発光装置Ｐ１〜Ｐ４）を所持している。本実施形態に係る携帯発光装置は、光を発するペンライト型の装置である。携帯発光装置は、たとえばカラオケ店舗のフロントで貸し出される。各携帯発光装置は、装置識別情報が付与されている。装置識別情報は、携帯発光装置を識別するための装置ＩＤのような、各携帯発光装置に固有の情報である。各利用者は、カラオケ歌唱の場を盛り上げるため、カラオケ演奏に合わせて携帯発光装置を左右や上下に振る動作を繰り返し行う。
【００１５】
各携帯発光装置とカラオケ装置Ｋは、ペアリングされることで互いに通信可能となる。ペアリングは、公知の手法で行うことができる。たとえば、カラオケ装置Ｋが設置されているカラオケ店舗において貸し出し可能な携帯発光装置の装置識別情報を予めカラオケ装置Ｋに記憶させておくことによりペアリングを行う。なお、本実施形態においては、少なくともカラオケ装置Ｋが携帯発光装置を制御できるようにペアリングされていればよい。すなわち、カラオケ装置Ｋから携帯発光装置への一方向の通信ができればよい。
【００１６】
＝＝携帯発光装置＝＝
図２は、実施形態に係る携帯発光装置Ｐ１のハードウェア構成を示す図である。なお、携帯発光装置Ｐ１〜携帯発光装置Ｐ４は、同様の構成を有する。
【００１７】
携帯発光装置Ｐ１は、外装１０、把持部２０、発光部３０、電源部４０、操作部５０、通信部６０、及び制御部７０により構成されている。
【００１８】
外装１０は、半透明の材質で形成された細長の円筒状の部材である。外装１０の内部には、発光素子３０ａ（後述）等が配置される。外装１０は、円筒状だけでなく、球状や半球状等、様々な形状を採用することができる。把持部２０は、利用者が把持する部分である。把持部２０の内部には、電源部４０等が配置される。
【００１９】
発光部３０は、光を発するための部分である。発光部３０は、携帯発光装置を識別するための装置識別情報を変調信号として重畳した光を発する。
【００２０】
本実施形態において、発光部３０は、発光素子３０ａ、駆動回路３０ｂ、及び変調器３０ｃを有する。発光素子３０ａは、ＬＥＤ等、光を発する素子である。駆動回路３０ｂは、発光素子３０ａを駆動させる回路である。変調器３０ｃは、装置識別情報を変調し、変調信号を生成する素子である。変調器３０ｃにより生成した変調信号を駆動回路３０ｂから出力される駆動電流に重畳することにより、発光素子３０ａは、装置識別情報を変調信号として重畳した光を発することができる。なお、発光部３０が発する光に変調信号を重畳する具体的な方法は、特開２００４−３２６７０５公報に記載の技術等、公知の技術を利用することができる。
【００２１】
電源部４０は、携帯発光装置Ｐ１が駆動するための電力を供給する。操作部５０は、電源部４０のＯＮ／ＯＦＦ用のスイッチである。通信部６０は、携帯発光装置Ｐ１とカラオケ装置Ｋとの通信用のインターフェースを提供する。
【００２２】
制御部７０は、携帯発光装置Ｐ１における各種制御を行う。たとえば、制御部７０は、駆動回路３０ｂを制御し、駆動電流を発生させる。
【００２３】
本実施形態において、制御部７０は、調整部７０ａとして機能する。調整部７０ａは、発光部３０が発する光の輝度を調整する。携帯発光装置Ｐ１は、基準となる輝度の値が設定されている。調整部７０は、電源部４０がＯＮになった場合、基準となる輝度で発光するよう、発光部３０（駆動回路３０ｂ）を制御する。なお、本実施形態において、携帯発光装置Ｐ１〜Ｐ４の基準となる輝度の値はいずれも同じであり、電源部４０がＯＮになった場合には当該値に応じて発光する。
【００２４】
一方、通信部６０を介してカラオケ装置Ｋから輝度の制御信号を受信した場合、調整部７０ａは、当該制御信号に基づいて発光部３０が発光する輝度を調整する（詳細は後述）。
【００２５】
＝＝カラオケ装置＝＝
図３に示すように、カラオケ装置Ｋは、抽出部１００、特定部２００、及び輝度制御部３００を有する。
【００２６】
（抽出部）
抽出部１００は、撮影手段Ｃにより、聴衆により使用されている複数の携帯発光装置を撮影して得られた装置映像から、動作関連情報を抽出する。
【００２７】
聴衆は、カラオケ歌唱を行う利用者以外の利用者である。たとえば、図１の例において、利用者Ｕ１が楽曲Ｘのカラオケ歌唱を行うとする。この場合、利用者Ｕ１は「歌唱者」に相当し、利用者Ｕ２〜利用者Ｕ４は「聴衆」に相当する。
【００２８】
利用者Ｕ２〜利用者Ｕ４は、楽曲Ｘのカラオケ演奏に合わせて、携帯発光装置Ｐ２〜Ｐ４を動かす。この場合、撮影手段Ｃは、楽曲Ｘのカラオケ演奏に合わせて、利用者Ｕ２〜利用者Ｕ４が使用している携帯発光装置Ｐ２〜Ｐ４を撮影し、装置映像を取得する。撮影手段Ｃは、楽曲Ｘのカラオケ演奏開始からカラオケ演奏終了まで装置映像を取得する。すなわち、装置映像は動画像として取得される。撮影手段Ｃは、取得した装置映像を順次、抽出部１００に出力する。
【００２９】
抽出部１００は、装置映像から動作関連情報を抽出する。動作関連情報は、携帯発光装置の動きに関連する情報である。本実施形態における動作関連情報は、携帯発光装置を繰り返し振る際の一往復の移動に要する往復時間である。映像から動作関連情報を抽出する方法は、公知の手法を用いることができる。
【００３０】
たとえば、装置映像において、楽曲Ｘのカラオケ演奏に合わせて利用者Ｕ２〜利用者Ｕ４が携帯発光装置Ｐ２〜携帯発光装置Ｐ４をそれぞれ左右に振る動作を繰り返し行っているとする。この場合、抽出部１００は、装置映像から、楽曲Ｘのカラオケ演奏の所定の演奏区間において、各携帯発光装置の往復時間（左→右→左の移動に要する時間）を抽出する。たとえば、所定の演奏区間が、楽曲Ｘの最初のサビの一小節目である場合、抽出部１００は、当該演奏区間に対応する装置映像を解析し、各携帯発光装置の往復時間を抽出する。
【００３１】
なお、利用者Ｕ１がカラオケ歌唱中に携帯発光装置Ｐ１を使用することはないので、装置映像の中に、歌唱者である利用者Ｕ１及び利用者Ｕ１に貸し出された携帯発光装置Ｐ１は含まれない。従って、抽出部１００は、携帯発光装置Ｐ１について動作関連情報を抽出することはない。
【００３２】
（特定部）
特定部２００は、所定の条件を満たす動作関連情報を示した携帯発光装置が発する光に重畳された変調信号を復調し、当該携帯発光装置の装置識別情報を特定する。
【００３３】
所定の条件は、変調信号を復調するかどうかを判断するための値である。所定の条件は、動作関連情報の種類に応じて予め設定されている。たとえば、動作関連情報が携帯発光装置の往復時間の場合、所定の条件は「往復時間とある基準値（時間）との一致度が所定値未満であること」として設定できる。
【００３４】
本実施形態に係る特定部２００は、カラオケ演奏の所定の演奏区間において抽出した往復時間と、当該所定の演奏区間の演奏時間とを比較することで一致度を算出し、当該一致度が所定値未満となる携帯発光装置がある場合に、当該携帯発光装置が発する光に重畳された変調信号を復調し、装置識別情報を特定する。所定の演奏区間の演奏時間は、カラオケ演奏されている楽曲の楽曲データを参照することで取得できる。
【００３５】
たとえば、抽出部１００は、利用者Ｕ１が選曲した楽曲Ｘの最初のサビの１小節目において装置映像に含まれる携帯発光装置毎の往復時間を抽出した結果、携帯発光装置Ｐαの往復時間が２，１００ｍｓｅｃ、携帯発光装置Ｐβの往復時間が１，７５０ｍｓｅｃ、携帯発光装置Ｐγの往復時間が１，９５０ｍｓｅｃであったとする。
【００３６】
この場合、特定部２００は、各往復時間と楽曲Ｘの最初のサビの１小節目の演奏時間（この例では２，０００ｍｓｅｃ）との一致度を算出する。この場合、携帯発光装置Ｐαにおける一致度は９５％であり、携帯発光装置Ｐβにおける一致度は８７．５％であり、携帯発光装置Ｐγにおける一致度は９７．５％となる。
【００３７】
特定部２００は、このうち、一致度が所定値未満となる携帯発光装置があるかどうかを判定する。この例では所定値が９０％であるとする。この場合、特定部２００は、携帯発光装置Ｐβを特定する。
【００３８】
特定部２００は、特定した携帯発光装置Ｐβが発する光に重畳された変調信号を復調し、携帯発光装置Ｐβの装置識別情報を特定する。光に重畳された変調信号を復調する具体的な方法は、特開２００４−３２６７０５公報に記載の技術等、公知の技術を利用することができる。
【００３９】
なお、上記例では、所定の演奏区間において、携帯発光装置が一往復するものとして一致度を算出したが、これに限られない。たとえば、所定の演奏区間が４拍である場合に、当該所定の演奏区間において携帯発光装置が二往復したとする。この場合、特定部２００は、往復時間（一往復の時間）と２拍の時間との一致度を算出してもよい。このようにして一致度を求めることにより、テンポの遅い楽曲に対する携帯発光装置の動きを考慮することができる。
【００４０】
（輝度制御部）
輝度制御部３００は、特定した装置識別情報に対応する携帯発光装置の輝度を制御する。具体的に、輝度制御部３００は、特定した装置識別情報に対応する携帯発光装置の輝度が、他の携帯発光装置の輝度よりも低くなるよう制御する。
【００４１】
上記例において、特定部２００は発光装置Ｐβの装置識別情報を特定する。輝度制御部３００は、その装置識別情報に対応する携帯発光装置の輝度を制御する。
【００４２】
上記例において、携帯発光装置Ｐβは、他の携帯発光装置Ｐα及び携帯発光装置Ｐγに比べ、往復時間が短い。つまり、携帯発光装置Ｐβの動きは、他の携帯発光装置の動きとズレが生じている。そのため、カラオケ歌唱を行う利用者Ｕ１にとって、携帯発光装置Ｐβの動きが目障りとなる可能性がある。
【００４３】
このような場合、輝度制御部３００は、携帯発光装置Ｐβの輝度が、他の携帯発光装置の輝度よりも低くなるよう（たとえば、基準の輝度の５０％になるよう）な制御信号を生成する。そして、輝度制御部３００は、カラオケ装置Ｋとペアリングされている携帯発光装置のうち、特定された携帯発光装置Ｐβの装置識別情報に対応する携帯発光装置に対し、制御信号を送信する。制御信号を受信した携帯発光装置の調整部７０ａは、発光素子の輝度が基準値の５０％になるよう調整する。
【００４４】
なお、輝度の調整は、往復時間と演奏時間との一致度に基づいて行ってもよい。輝度制御部３００は、たとえば、一致度が低いほど、輝度が小さくなるような制御信号を生成してもよい。この場合、一致度に応じた、より細かい輝度の制御が可能となる。
【００４５】
＝＝カラオケシステムにおける処理について＝＝
次に、図４を参照して本実施形態に係るカラオケシステム１における処理の具体例について述べる。図４は、カラオケシステム１における処理例を示すフローチャートである。この例では、利用者Ｕ１がカラオケ歌唱を行い、利用者Ｕ２〜利用者Ｕ４がそのカラオケ歌唱を聴くとする。
【００４６】
カラオケ装置Ｋは、利用者Ｕ１が選曲した楽曲Ｘのカラオケ演奏を開始する（カラオケ演奏の開始。ステップ１０）。利用者Ｕ１は、カラオケ演奏に合わせてカラオケ歌唱を行う。
【００４７】
また、利用者Ｕ２〜利用者Ｕ４それぞれは、カラオケ演奏に合わせて、携帯発光装置Ｐ２〜携帯発光装置Ｐ４を使用する。各携帯発光装置の発光部３０は、装置識別情報を変調信号として重畳した光を発する（発光。ステップ１１）。
【００４８】
撮影手段Ｃは、各利用者により使用されている複数の携帯発光装置を撮影し、装置映像を取得する（装置映像の取得。ステップ１２）。
【００４９】
抽出部１００は、ステップ１２で取得された装置映像から、携帯発光装置の動きに関連する動作関連情報を抽出する（動作関連情報の抽出。ステップ１３）。
【００５０】
特定部２００は、ステップ１３で抽出した動作関連情報について、所定の条件を満たす動作関連情報があるかどうかを判定する。
【００５１】
所定の条件を満たす動作関連情報がある場合（ステップ１４でＹの場合）、特定部２００は、所定の条件を満たす動作関連情報を示した携帯発光装置が発する光に重畳された変調信号を復調し、当該携帯発光装置の装置識別情報を特定する（装置識別情報の特定。ステップ１５）。
【００５２】
輝度制御部３００は、ステップ１５で特定した装置識別情報に対応する携帯発光装置の輝度を制御する（装置識別情報に対応する携帯発光装置の輝度を制御。ステップ１６）。輝度制御部３００は、輝度の制御信号を生成し、携帯発光装置に送信する（輝度の制御信号を送信。ステップ１７）。
【００５３】
携帯発光装置の調整部７０ａは、ステップ１７で送信された制御信号に基づいて、発光部３０が発する光の輝度を調整する（光の輝度を調整。ステップ１８）。
【００５４】
カラオケシステム１は、楽曲Ｘのカラオケ演奏が終了するまで（ステップ１９でＹの場合）、ステップ１２〜ステップ１８の処理を繰り返し行う。
【００５５】
このように、本実施形態に係るカラオケシステム１は、カラオケ装置Ｋ、及びカラオケ装置Ｋが設置されている場所に在席する利用者Ｕ１〜利用者Ｕ４が使用する携帯発光装置Ｐ１〜携帯発光装置Ｐ４を含む。各携帯発光装置は、携帯発光装置を識別するための装置識別情報を変調信号として重畳した光を発する発光部３０と、発光部３０が発する光の輝度を調整する調整部７０ａと、を有する。カラオケ装置Ｋは、撮影手段Ｃにより、聴衆により使用されている複数の携帯発光装置を撮影して得られた装置映像から、携帯発光装置の動きに関連する動作関連情報を抽出する抽出部１００と、所定の条件を満たす動作関連情報を示した携帯発光装置が発する光に重畳された変調信号を復調し、当該携帯発光装置の装置識別情報を特定する特定部２００と、特定した装置識別情報に対応する携帯発光装置の輝度を制御する輝度制御部３００と、を有する。また、輝度制御部３００は、特定した装置識別情報に対応する携帯発光装置の輝度が、他の携帯発光装置の輝度よりも低くなるよう制御することが好ましい。
【００５６】
このようなカラオケシステム１によれば、ある携帯発光装置の動きが所定の条件を満たす場合には、その携帯発光装置の輝度を調整することができる。よって、たとえば、一の携帯発光装置の輝度を他の携帯発光装置の輝度よりも低く抑えることにより、一の携帯発光装置の動きが目立たなくなるため、歌唱者にとって目障りになることが無い。すなわち、本実施形態に係るカラオケシステム１によれば、カラオケ歌唱を妨げることなく、携帯発光装置を使用できる。
【００５７】
また、本実施形態における動作関連情報は、携帯発光装置を繰り返し振る際の一往復の移動に要する往復時間であり、特定部２００は、カラオケ演奏の所定の演奏区間において抽出した往復時間と、当該所定の演奏区間の演奏時間とを比較することで一致度を算出し、当該一致度が所定値未満となる携帯発光装置がある場合に、当該携帯発光装置が発する光に重畳された変調信号を復調し、装置識別情報を特定する。
【００５８】
このように動作関連情報として、携帯発光装置の往復時間を用いることにより、カラオケ演奏に合わない動きをしている携帯発光装置の輝度を調整することができる。
【００５９】
＜変形例＞
上記実施形態では、動作関連情報として携帯発光装置を繰り返し振る際の一往復の移動に要する往復時間を例に説明した。一方、動作関連情報は、これに限られない。たとえば、動作関連情報は、カラオケ演奏の所定の演奏区間において携帯発光装置が動いた軌跡（すなわち、携帯発光装置が発する光の軌跡）であってもよい。動作関連情報を携帯発光装置の動いた軌跡とする場合、所定の条件は「他の携帯発光装置の軌跡との差が大きい軌跡を描いていること」として設定できる。
【００６０】
この場合、特定部２００は、少なくとも３つの携帯発光装置について抽出した軌跡を２つずつ比較することで一致度を複数算出し、算出した全ての一致度に基づいて他の携帯発光装置の軌跡との差が大きい軌跡を描いた携帯発光装置が発する光に重畳された変調信号を復調し、装置識別情報を特定する。
【００６１】
たとえば、抽出部１００は、利用者Ｕ１が選曲した楽曲Ｘの最初のサビの１小節目に対応する装置映像を解析し、携帯発光装置Ｐαの軌跡Ｔα、携帯発光装置Ｐβの軌跡Ｔβ、及び携帯発光装置Ｐγの軌跡Ｔγを抽出したとする。なお、ある映像に含まれる携帯発光装置の軌跡を抽出する方法は、公知の手法を用いることができる。
【００６２】
この場合、特定部２００は、抽出された全ての軌跡を２つずつ比較することで一致度を複数算出する。上記例において、特定部２００は、軌跡Ｔαと軌跡Ｔβの一致度Ｍ１、軌跡Ｔαと軌跡Ｔγの一致度Ｍ２、及び軌跡Ｔβと軌跡Ｔγの一致度Ｍ３を算出する。２つの軌跡の一致度を算出する方法は、機械学習等の公知の手法を用いることができる。この例では、一致度Ｍ１が４０％であり、一致度Ｍ２が９０％であり、一致度Ｍ３が３０％であったとする。
【００６３】
特定部２００は、他の携帯発光装置の軌跡との差が大きい携帯発光装置を判定する。上記例の場合、特定部２００は、携帯発光装置Ｐβの関わる一致度Ｍ１及びＭ３の値に対し、携帯発光装置Ｐβの関わらない一致度Ｍ２の値だけが大きく異なることから、携帯発光装置Ｐβの軌跡と他の携帯発光装置の軌跡との差が大きいと判定する。この場合、特定部２００は、携帯発光装置Ｐβが発する光に重畳された変調信号を復調し、携帯発光装置Ｐβの装置識別情報を特定する。
【００６４】
このように、本変形例における動作関連情報は、カラオケ演奏の所定の演奏区間において携帯発光装置が動いた軌跡であり、特定部４００は、少なくとも３つの携帯発光装置について抽出した軌跡を２つずつ比較することで一致度を複数算出し、算出した全ての一致度に基づいて他の携帯発光装置の軌跡との差が大きい軌跡を描いた携帯発光装置が発する光に重畳された変調信号を復調し、装置識別情報を特定する。なお、携帯発光装置が４つの場合、軌跡Ｔα、Ｔβ、Ｔγ、Ｔδの間の６つの一致度のうち軌跡Ｔβが関わる３つの一致度が他の３つと大きく異なれば、携帯発光装置Ｐβの軌跡と他の携帯発光装置の軌跡との差が大きいと判定する。携帯発光装置が５つ以上の場合も同様の判定処理を適用できる。
【００６５】
このように動作関連情報として、携帯発光装置の軌跡を用いることにより、他の携帯発光装置と異なる動きをしている一の携帯発光装置の輝度を調整することができる。
【００６６】
なお、本変形例のように携帯発光装置の軌跡全体を比較するのではなく、抽出した軌跡から、携帯発光装置の移動する方向のみを特定し、特定した方向同士を比較することでもよい。この場合、一致度を算出する処理を簡素化することができる。
【００６７】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６８】
１  カラオケシステム
３０  発光部
７０ａ  調整部
１００  抽出部
２００  特定部
３００  輝度制御部
Ｋ  カラオケ装置
Ｐ１〜Ｐ４  携帯発光装置
【図１】
2020122856.tif 000003
【図２】
2020122856.tif 000004
【図３】
2020122856.tif 000005
【図４】
2020122856.tif 000006